(57)【要約】      （修正有）【課題】案内板を容易に交換できる看板を提供する。【解決手段】フレーム３は、四角状で、中央に空間を形成して軽量化を図っている。このフレームは、軽量のアルミニウム、鉄等の金属のほか、木材、樹脂等である。又、後ろ側には、回動可能で、フレーム３内に収納可能な支持体４が付設してあり、開口状態でフレーム３の立設が可能である。前記フレーム３の表面には、適宜の箇所にホック６（メス又はオス）が取り付けてある。一方、案内板５は、四角状であり、アルミニウムや合成樹脂の軽量材、鉄等、種々の材質で形成でき、この案内板５には、前記ホック６に対応する位置に孔９が明けてある。そして、前記案内板５は、メスのホック６に対してオスのホック７で、オスのホック６に対応してメスのホック７で、案内板５に穿設の孔９を介して取り付ける。【選択図】図１
0003183982.tif 000002
【実用新案登録請求の範囲】
【請求項１】
フレームに案内板を取り付けの看板であって、
前記フレームにメス又はオスのホックを取り付け、
案内板に穿設の孔を介して、前記メス又はオスのホックに対応するオス又はメスのホックを介して案内板をフレームに取り付けることを特徴とする看板。
【請求項２】
請求項１の看板であって、
フレームをアルミニウムで形成することを特徴とする看板。
【考案の詳細な説明】
【技術分野】
【０００１】
本願考案は案内等を記載の案内板の取替えを容易にする看板に関する。
【背景技術】
【０００２】
従来、看板は、鉄、木材等のフレームに案内板が、ボルトナット或いはビス止め、釘内等で固定されている。
また、特許文献１には、プラスチックを表示体としてコピー用紙もしくは樹脂製の案内表示物を表示体すなわち再利用可能なカードケースを案内立て簡易看板に差し込み、通行者、車乗者に案内広告を告知する手段を提供する旨の記載がある。
【先行技術文献】
【特許文献】
【０００３】
【特許文献１】特開２０１０−２４３７９５
【考案の概要】
【考案が解決しようとする課題】
【０００４】
前記特許文献１に開示の看板は、案内板がフレームに差し込み可能に形成してあり、案内板の差し替えを容易にしている。
本考案は、他の方式で案内板を容易に差し替えができる看板を提供する。
【課題を解決するための手段】
【０００５】
請求項１のフレームに案内板を取り付けの看板は、前記フレームにメス又はオスのホックを取り付け、案内板に穿設の孔を介して、前記メス又はオスのホックに対応するオス又はメスのホックを介して案内板をフレームに取り付ける。
又、請求項２の看板は、フレームをアルミニウムで形成する。
【考案の効果】
【０００６】
本願の看板は、ホックを介して案内板を取り付けるので、容易に交換できる。
【図面の簡単な説明】
【０００７】
【図１】立て看板の図である。
【図２】看板として用いる柵の図である。
【図３】他の構成の看板の図である。
【考案を実施するための形態】
【０００８】
図１は、折り畳み可能な看板であり、道路標識として用いられている。この看板のフレーム３は、四角状で、中央に空間を形成して軽量化を図っている。
このフレームは、軽量のアルミニウム、鉄等の金属のほか、木材、樹脂等である。又、後ろ側には、回動可能で、フレーム３内に収納可能な支持体４が付設してあり、開口状態でフレーム３の立設が可能である。
【０００９】
前記フレーム３の表面には、適宜の箇所にホック６（メス又はオス）が取り付けてある。
一方、案内板５は、四角状であり、アルミニウムや合成樹脂の軽量材、鉄等、種々の材質で形成でき、この案内板５には、前記ホック６に対応する位置に孔９が明けてある。
【００１０】
そして、前記案内板５は、メスのホック６に対してオスのホック７で、オスのホック６に対応してメスのホック７で、案内板５に穿設の孔９を介して取り付ける。
このように、案内板５は、ホック６，７を介してフレームに取り付けられているので、他の案内板に交換するときには、ホック７を外して、新たな案内板をホック６，７を介して取り付けることができるので、案内板５の交換操作は簡便である。
【００１１】
図２は、道路の停止案内として使用される自立型の柵である。この柵は左右一対の基台１１に、コ字状のフレーム１０を取り付けて構成する。なお、このフレームの材質は軽量を図るためにアルミニウムであるが、合成樹脂、木材、鉄等の金属でも良い。
又、前記フレームの上部に取り付ける上案内板１５に対応して、上横枠体１１ａと下横枠体１１ｂが軽量を図るためにアルミニウムの材質で取り付けてある。そして、前記上横枠体１１ａと下横枠体１１ｂには、適宜の間隔で、メス（又オス）のホック６が取り付けてある。
【００１２】
一方、上案内板１５にはアルミニウムの格子体を用い、この上案内板１５の裏面側には、前記ホック６に対応する位置に孔９が明けてある。
そして、上案内板１５は、メスのホック６に対してオスのホック７で、オスのホック６に対応してメスのホック７で、取り付けられるので、他の案内板１５に取り替えるときには、ホックを外して新たな案内板をホックを介して取り付けることができる。
【００１３】
又、下案内板１６を取り付けるために、フレームには上横枠体１２ａと下横枠体１２ｂが軽量を図るためにアルミニウムの材質で取り付けてある。また、前記上横枠体１２ａと下横枠体１２ｂには、適宜の間隔で、メス（又オス）のホック６が取り付けてある。
【００１４】
一方、下案内板１６は軽量を図るためにアルミニウム、又は合成樹脂の板であり、この下案内板１６には、前記ホック６に対応する位置に孔９が明けてある。
そして、この下案内板１６は、メスのホック６に対してオスのホック７で、オスのホック６に対応してメスのホック７で、取り付ける。そのため、新たな案内板１６と交換するには、ホック７を介して下案内板１５を取り外して、新たな案内板をホック６，７を介して交換することができる。
【００１５】
図３は、他の看板の構成であり、逆Ｕ字状のフレーム２０であり、このフレーム２０には、メス（又オス）のホック６が取り付けてある。又、案内板２０には、前記ホック６に対応する位置に孔９が明けてある。
そして、この案内板２１は、メスのホック６に対してオスのホック７で、オスのホック６に対応してメスのホック７で、取り付ける。
そのため、新たな案内板２１と交換するには、ホック７を介して案内板２１を取り外し、新たな案内板をホック６，７を介して交換する。
【００１６】
以上のように、看板において、種々の案内板はホック６，７を介して取り付けるように構成してあるので、新たな案内板と交換するに際して、簡便な作業で交換することができる。
又、フレームの材質をアルミニウム等の軽量なものを使用すると、運搬が容易である。
尚、本考案は、フレームに案内板をホックで取り付けるものであり、前記例示として運搬可能な看板、柵等に対する適用について記載したが、道路に面して立設固定のフレーム、フェンスのフレーム、家屋の壁に付設のフレーム等であってもよいし、また、案内板は文字等が描いてあるものに限定せず、前記アルミニウム等の格子体等であってもよく、これらの概念を含むものである。
【符号の説明】
【００１７】
３  フレーム
５  案内板
６  ホック
７  ホック
１０  フレーム
１５  上案内板
１６  下案内板
【図１】
0003183982.tif 000003
【図２】
0003183982.tif 000004
【図３】
0003183982.tif 000005